(57)【要約】【課題】本発明は、本体組立と前板組立との連結部に油脂分等が溜まるのを極力阻止し、たとえ付着するようなことがあっても容易に払拭除去でき、清潔度を高く保持するレンジフードを提供しようとするものである。【解決手段】本体組立２として下面と前面を開口し排気口を備えるとともに内部に排気扇１５を収容配置し、前面組立３として本体組立の前面部に取付けられ本体組立の前面開口および下面開口と連通する開口部を備え、油煙集塵用フィルタ６として一端部が前面組立の内部にかつ他端部が本体組立の排気扇下方部位にそれぞれ着脱自在に掛止し本体組立と前面組立とで形成する下面開口部５を全面的に覆って排気扇を遮蔽し、スペーサ６０として少なくとも油煙集塵用フィルタから下方部位に露出する本体組立と前板組立との連結部に介設し連結部間を平坦状となす。【選択図】      図３
2005265222.tif 000002
【特許請求の範囲】
【請求項１】
下面と前面が開口され、排気口を備えるとともに内部に送風機が収容配置される本体組立と、
この本体組立の前面部に取付けられ、本体組立の前面開口および下面開口と連通する開口部を備えた前面組立と、
一端部が上記前面組立の内部に、かつ他端部が上記本体組立の送風機下方部位に、それぞれ着脱自在に掛止され、本体組立と前面組立とで形成される下面開口部を略全面的に覆って上記送風機を遮蔽する油煙集塵用フィルタと、
少なくとも上記油煙集塵用フィルタから下方部位に露出する本体組立と前板組立との連結部に介設され、本体組立内面と前板組立内面との間に形成される凹部を本体組立内面および前板組立内面と略同一の平坦状とするスペーサと
を具備することを特徴とするレンジフード。
【請求項２】
上記スペーサは、界面活性剤入りの樹脂材から構成されることを特徴とする請求項１記載のレンジフード。
【発明の詳細な説明】
【技術分野】
【０００１】
本発明は、本体組立と前板組立を連結して構成されるレンジフードに係り、特にレンジフード内面に対する清掃性の改良に関する。
【背景技術】
【０００２】
厨房においてレンジフードは加熱調理器具の上方部位に設置され、加熱調理器具を用いた調理の際には内部に備えた送風機を駆動し、調理にともなって発生する燃焼排ガスや油煙を吸込んで屋外に排出する。さらに、レンジフード内部には油煙集塵用フィルタが着脱自在に取付けられ、排出途中の油煙等を通過させて油脂分等を捕捉し、送風機や排出口周辺および接続される排気ダクト内等への油脂分等の付着を最小限に抑制している。
【０００３】
上記レンジフードは本体と前板とを組合せてなる。すなわち、本体と前板の合せ面に沿って、それぞれ折曲片であるフランジ部を設け、互いのフランジ部を突き合せて取付けネジで螺着し一体化している。近時、本体の内面下部に本体カバーを取付けて本体組立を構成し、前板の内面下部に前板カバーを取付けて前板組立を構成し、これら本体組立と前板組立を連結して剛性および美観の向上を図ったレンジフードが多用される。
【０００４】
ところで、上記油煙集塵用フィルタに付着した油脂分等をそのまま放置すると当然、濾過性能が落ちる。そのため、定期間毎に油煙集塵用フィルタを取外して油脂分等を除去する必要がある。同時に、レンジフード内面にも油脂分等が付着するので、これを払拭除去して清潔度を保持しなければならない。
【０００５】
［特許文献１］には、この種のレンジフードにおいて、内面に表面層として親水性の焼き付け塗料を設けたことを特徴とする技術が開示されている。この場合、油脂分が付着し固形化しても、水を補給することにより表面層と油脂分との間に水膜を形成して油脂分を浮かし、かつ剥がし落とす。そのため、レンジフードにおける清掃管理が頗る簡単化する、とある。
【特許文献１】特開２０００−１９９６３７号公報
【発明の開示】
【発明が解決しようとする課題】
【０００６】
ところが、レンジフードは上述したように本体組立と前板組立とを突き合せて連結固定し一体構成化されるため、これらの連結部に油脂分が溜まり易く、除去し難いものである。なお説明すれば従来、図６に示すように本体Ａの側部と本体カバーＢの側部を折曲げ形成してなる折曲片部ａ，ｂを重ね合わせ、たとえばスポット溶接などの手段で固着一体化した本体組立Ｃを構成する。また、前板Ｄの側部と前板カバーＥの側部を折曲げ形成してなる折曲片部ｄ，ｅを重ね合わせて、たとえばスポット溶接などの手段で固着一体化した前板組立Ｆを構成する。
【０００７】
そして、本体組立Ｃと前板組立Ｆの側部相互を突き合せ、図示しない固定金具を用いて本体組立Ｃと前板組立Ｆを連結固定することによりレンジフードが得られる。具体的には、本体Ａの折曲片部ａと前板Ｄの折曲片部ｄとが密着状態となる。  
このようなレンジフードにおいて、構成上、本体組立Ｃと前板組立Ｆとを突き合せた連結部内面に凹部ｆが形成される。すなわち、互いに密着する本体Ａの折曲片部ａと前板Ｄの折曲片部ｄの端縁の少なくとも一方を、たとえば図に二点鎖線で示すように本体カバーＢおよび前板カバーＥ内面から突出させてしまうと、レンジフード内面を払拭して油脂分等を除去する作業の際に引っ掛ってしまい危険である。
【０００８】
そのため、本体Ａの折曲片部ａと前板Ｄの折曲片部ｄの端縁が、本体カバーＢ面および前板カバーＥ面から没入せざるを得ない。したがって、レンジフード内面である本体組立Ａと前板組立Ｃとの連結部内面には凹部ｆが形成されてしまい、この凹部ｆに油脂分等が溜り易い。
【０００９】
上記凹部ｆに溜まった油脂分等を布で拭き取ろうとしても、一部の油脂分等はさらに凹部ｆ内に侵入してしまい、こびり付いたままとなる。また、楊子などの先の尖ったもので凹部ｆ内の油脂分等を掻き出そうとしても容易には除去できず、完全な清掃は極めて困難である。
【００１０】
本発明は上記事情に着目してなされたものであり、その目的とするところは、本体組立と前板組立とを連結して組立てられ、これらの連結部に油脂分等が溜まるのを極力抑制し、かつたとえ油脂分等が付着するようなことがあっても、その油脂分等を容易に払拭除去できて、清潔度を高く保持するレンジフードを提供しようとするものである。
【課題を解決するための手段】
【００１１】
上述の目的を満足するため本発明は、本体組立として下面と前面を開口し上面に排気口を備えるとともに内部に送風機を収容配置し、前面組立として本体組立の前面部に取付けられ本体組立の前面開口および下面開口と連通する開口部を備え、油煙集塵用フィルタとして一端部が前面組立の内部にかつ他端部が本体組立の送風機下方部位にそれぞれ着脱自在に掛止し本体組立と前面組立とで形成する下面開口部を全面的に覆って送風機を遮蔽し、スペーサとして少なくとも油煙集塵用フィルタから下方部位に露出する本体組立と前板組立との連結部に介設され本体組立内面と前板組立内面との間に形成される凹部を本体組立内面および前板組立内面と略同一の平坦状とする。
【発明の効果】
【００１２】
本発明のレンジフードによれば、本体組立と前板組立との連結部に油脂分等が溜まることを極力抑制し、かつそれでも付着する油脂分等を容易に払拭除去できて、清潔度を高く保持するなどの効果を奏する。
【発明を実施するための最良の形態】
【００１３】
以下、本発明の一実施の形態に係るレンジフードＲについて、図面を参照して説明する。  
図１は組立てられたレンジフードＲの外観斜視図、図２はレンジフードＲの主たる構成部品を分解した斜視図、図３はレンジフードＲの概略の断面図、図４（Ａ）は前板組立３の一部分解斜視図、図４（Ｂ）は組立てられた前板組立３の一部斜視図、図５は本体組立２と前板組立３の連結構造を示す一部断面図である。
【００１４】
図１に示すように、レンジフード本体１は背部側の本体組立２と、前部側の前板組立３とを組合せて構成される。レンジフード本体１として、下面の背部側に保持板４が設けられ、この保持板４を除いて下面開口部５を備えている。  
この下面開口部５は、保持板４から前部側上方に向かって斜めに傾斜して取付けられる油煙集塵用フィルタ６によって、このフィルタからレンジフード本体１内部が遮蔽される。換言すれば、レンジフード本体１の下面開口部５に油煙集塵用フィルタ６が露出して取付けられる。
【００１５】
上記保持板４はレンジフード本体１を構成する本体組立２の下面一部に、レンジフード本体１の幅方向全体に亘って設けられている。この保持板４の略中央部には、その周辺を照明する照明ランプを内蔵する照明用窓７が取付けられる。  
一方、レンジフード本体１を構成する前板組立３は、下面開口部５周縁をなす両側端は幅が狭く、手前側端のみ幅広に形成される。この手前側端の幅広中央部にスイッチ取付け板８が設けられていて、運転、停止、風量強弱切換え、照明ランプ等の各種のスイッチ類９が取付けられる。
【００１６】
図２に示すように、上記本体組立２は、それぞれが矩形状をなす天板１０ａと、左右両側板１０ｂと、背面板１０ｃとからなり、前面と下面が開口する矩形状の箱体である本体１０と、上記左右両側板１０ｂの内面でかつ下部にのみに後述するようにして組合わされる本体カバー１１とから構成される。  
上記前板組立３は、側面視で略三角状をなす左右両側板１２ａと、これら側板１２ａ間に架設される矩形状の前面板１２ｂとからなり、背面と下面が開口する側面視が三角状箱体からなる前板１２と、上記左右両側板１２ａの内面でかつ下部にのみ後述するようにして組合わされる前板カバー１３とから構成される。
【００１７】
このような本体組立２に前板組立３を連結固定してレンジフード本体１が構成され、かつ加熱調理器具の上方部位壁面に取付けられる。本体組立２と前板組立３の連結部上端と厨房天井板との間には幕板１４が取付けられ、本体天板１０ａ上部を遮蔽する。上記油煙集塵用フィルタ６については前述した姿勢で取付けられ、後述するようにしてレンジフード本体１に対して着脱自在である。
【００１８】
レンジフード本体１内には排気扇（送風機）１５が取付けられる。この排気扇１５は、いわゆるケーシング１６内に多翼ファン１７を備え、図示しないモータに連結されてなる。上記モータを駆動することにより、ケーシング１６の前面中心部に開口する吸込み口１６ａから空気を吸込み、ケーシング１６の上部に形成される吹出し口体１６ｂから吹出す作用をなす。
【００１９】
図３に示すように、排気扇１５を構成するケーシング１６の吹出し口体１６ｂは、本体組立２を構成する本体１０の上面部に設けられる排気口（図示しない）を介して、本体天板１０ａ上に取付けられる排気ダクト１７と連通する。この排気ダクト１７は家屋外部と連通され、排気ダクト１７に導かれる空気を屋外へ排出案内するようになっている。
【００２０】
なお、上記排気口は本体背面板１０ｃに設けて、直接壁面から屋外へ突出する排気口体を接続してもよい。ただし、この場合は排気口にシャッタ機構が必要となる。  
上記保持板４は、本体組立２を構成する左右の本体カバー１１内面に設けられる支持用金具１８間に亘って架設されていて、その上面側で照明灯に接続する電気器具類やコード類を支持している。それぞれの支持用金具１８には、上記油煙集塵用フィルタ６の一端部を支持するためのフィルタ支持具２０が設けられる。
【００２１】
一方、前板組立３を構成する左右の前板カバー１３内面には補助金具２１が取付けられている。これら左右の補助金具２１と前面板１２ｂ内面に沿って、断面略コ字状に折曲形成され、上記油煙集塵用フィルタ６の他端部を支持するためのフィルタ抑えばね２２が取付けられる。
【００２２】
上記油煙集塵用フィルタ６は、前端部が前板組立３の補助金具２１に設けられるフィルタ抑えばね２２に着脱自在に差し込まれ、後端部が本体組立２の支持用金具１８に設けられるフィルタ支持具２０に着脱自在に取付けられる。このことから、油煙集塵用フィルタ６はレンジフード本体１の下面開口部５において斜めに傾斜した状態で位置し、かつこの奥側に設けられる排気扇１５を遮蔽している。
【００２３】
図５および図２に示すように、本体１０に対して本体カバー１１が組合わされて本体組立２が構成され、図４（Ａ）（Ｂ）および図５に示すように、前板１２に対して前板カバー１３が組合わされて前板組立３が構成される。  
はじめに本体組立２から説明すると、本体１０を構成する左右両側板１０ｂの少なくとも前部と下端部は互いに板面に対して内側に折曲形成されるフランジ部３０Ａが一体に設けられる。また、本体カバー１１の前後端部と上下端部である周端部には、板面に対して直角に折曲形成されるフランジ部３０Ｂが一体に設けられる。
【００２４】
この本体カバー１１の前後端と下端フランジ部３０Ｂが、本体１０の左右両側板フランジ部３０Ａと背面板１０ｃに重ね合わされ、たとえば取付けねじ等の固定具を用いて一体化される。本体カバー１１は本体１０の下部側略半分を占めていて、本体組立２として内面下部が薄箱状に形成されることになる。
【００２５】
前板組立３においては、前板１２を構成する両側板１２ａの少なくとも下端部と背面端部は互いに板面に対して内側に折曲形成されるフランジ部４０Ａが設けられる。また、前板カバー１３の前後端部と上下端部には、板面に対して直角に折曲形成されるフランジ部４０Ｂが一体に設けられる。この前板カバー１３の前後端と下端フランジ部４０Ｂが、前板１２の前後端と下端フランジ部４０Ａに重ね合わされ、たとえば取付けねじ等の固定具５０を用いて一体化される。
【００２６】
ただし、前板１２の背面フランジ部４０Ａと前板カバー１３の背面フランジ部４０Ｂとの間には、図４（Ａ）（Ｂ）に示すように、界面活性剤入りの樹脂材から構成されるスペーサ６０が介在され、上記固定具５０により前板１２と前板カバー１３とともに取付け固定される。
【００２７】
このスペーサ６０は、前板１２と前板カバー１３とのフランジ部４０Ａ，４０Ｂ相互間に完全に介在するスペーサ本体部６０ａと、このスペーサ本体部６０ａの一側端に沿って一体に折曲される平坦用折曲部６０ｂとから構成される。  
組立てられた状態でスペーサ６０の平坦用折曲部６０ｂは、前板１２の背面フランジ部４０Ａ端縁から突出して、この端縁を覆う。したがって、前板１２の背面フランジ部４０Ａ端縁から出たスペーサ平坦用折曲部６０ｂは前板組立３から露出している。
【００２８】
図５に示すように、前板組立３は前板１２の背面フランジ部４０Ａと前板カバー１３の背面フランジ部４０Ｂとの間にスペーサ６０のスペーサ本体６０ａを介設した状態で、本体組立２の前端部に沿って突き合わされる。具体的には、前板組立３の状態で外面側にある前板１２の背面フランジ部４０Ａと、本体組立２の状態で外面側にある本体１０の前部フランジ部３０Ａが互いに当接される。
【００２９】
そして、ここでは図示しない取付けねじなどの固定具で前板組立３と本体組立２との間にスペーサ６０を介在させたまま取付けられ、本体組立２と前板組立３とが連結固定されてレンジフード本体１が構成される。  
前板組立３の状態で前板１２と前板カバー１３との合せ縁から突出するスペーサ６０の平坦用折曲部６０ｂは、本体フランジ部３０Ａの端縁を覆う。すなわち、スペーサ平坦用折曲部６０ｂは本体組立２内面と前板組立３内面との連結部に形成される凹部を本体組立２内面および前板組立３内面と略同一平面として、本体組立２と前板組立３との連結部間を平坦状とする。
【００３０】
このようにして構成されるレンジフードＲであって、この下方部位に配置される加熱調理器具を用いて加熱調理するのにともない、内部に備えた排気扇１５を駆動する。燃焼にともなって燃焼排ガスが生成され、加熱調理によって油煙等が発生する。これらはレンジフード本体１の下面開口部５から吸込まれ、油煙集塵用フィルタ６を通過して油煙等が捕捉される。残った燃焼排ガスは排気口と排気ダクト１７を介して屋外へ排出される。
【００３１】
加熱調理によって発生する油脂分等の一部は油煙集塵用フィルタ６を通過する以前にレンジフード本体１の内面に付着し、そのほとんどは付着した位置で粘着状にこびり付く。長期間放置すれば、一部の油脂分等は流下してレンジフード本体１の下面開口部５周縁に沿って滴状に垂れ下がる。
【００３２】
そこで、所定期間毎に油煙集塵用フィルタ６を取外して、捕捉されている油脂分等を払拭除去する必要がある。同時に、特に油煙集塵用フィルタ６から下部側の、常時露出しているレンジフード本体１内面も払拭して、ここにこびり付いている油脂分等を除去し清潔度を保持しなければならない。
【００３３】
このとき、本体組立２と前板組立３との連結部にスペーサ６０を介在させ、本体組立２と前板組立３の内面に合わせて平坦状をなしているので、特に油脂分等が連結部に入り込むようなことがない。たとえスペーサ６０に油脂分などが付着しても、レンジフード本体１内面を清掃すれば極めて容易に、かつほとんど完全に油脂分等を払拭除去できる。
【００３４】
上記スペーサ６０を界面活性剤入りの樹脂材から構成することにより、スペーサ６０のレンジフード本体１内面から露出する平坦用折曲部６０ｂ表面に濡れ性皮膜が生じる。したがって、スペーサ６０に付着する油脂分等をより払拭し易くなるとともに、樹脂材であるので、たとえスペーサ６０に指等が触れても円滑に滑って安全を確保する。
【００３５】
なお、上述の実施の形態においては、前板組立３を構成する前板１２と前板カバー１３のフランジ部４０Ａ，４０Ｂ相互間にスペーサ６０を介在させたが、これに限定されるものではなく、本体組立２を構成する本体１０と本体カバー１１のフランジ部３０Ａ，３０Ｂ相互間に上記スペーサ６０を介在させてもよい。要は、本体組立２と前板組立３とを連結する状態で形成される凹部を本体組立２と前板組立３の内面と略同一の平坦状にさせるスペーサ６０であればよい。
【図面の簡単な説明】
【００３６】
【図１】本発明における一実施の形態に係る、レンジフードの外観斜視図。
【図２】同実施の形態に係る、レンジフードの主たる構成部品に分解して示す斜視図。
【図３】同実施の形態に係る、レンジフードの概略の断面図。
【図４】同実施の形態に係る、前板組立一部の分解した斜視図と、組立てた斜視図。
【図５】同実施の形態に係る、本体組立と前板組立を組立てた状態の一部横断平面図。
【図６】従来の、本体組立と前板組立を組立てた状態の一部横断平面図。
【符号の説明】
【００３７】
１５…排気扇（送風機）、２…本体組立、３…前面組立、６…油煙集塵用フィルタ、６０…スペーサ。
【図１】
2005265222.tif 000003
【図２】
2005265222.tif 000004
【図３】
2005265222.tif 000005
【図４】
2005265222.tif 000006
【図５】
2005265222.tif 000007
【図６】
2005265222.tif 000008